(57)【要約】【課題】  布団と洗濯物の両方を干すことが可能で、布団支持具に布団を掛けた場合に、二つ折りになった対向面の間に間隔が生じ通気性に優れ乾燥効率が良いと共に、布団のサイズにも対応可能で、且つ保管に便利な物干し具とする。【解決手段】  支柱１の上部に複数の布団支持具４を略水平に放射状に着脱可能に突設する。支柱１に布団支持具４を外した時に布団支持具４を保持する係止具１７と、支柱１の下部に脚部２１を設ける。布団支持具４は洗濯物干し具１３を支持するアーム５ａ、５ｂと、アーム５ａ，５ｂに連結しアーム５ａ，５ｂの両側にアーム５ａ，５ｂと間隔をおいてアーム５ａ，５ｂに沿って設けた布団支持枠６ａ，６ｂを備える。布団３２を布団支持具４の両側の布団支持枠に跨って掛ける。【選択図】  図１
0003153436.tif 000002
【実用新案登録請求の範囲】
【請求項１】
支柱の下端部に支柱の支持が可能な台板を設け、この台板上に支柱の外側に開いた複数本の支持脚を備え、支持脚は起倒可能に基部を軸支されて先端側に向けて下方傾斜し、支持脚が開いた時に支持脚の基部側が台板上に固定されて台板は浮き上がり、支柱側に起立した時に支柱に保持されること、支柱の上部には、複数の支持部材と複数の係止具が設けられ、放射状に略水平に突設した支持部材に、布団支持具が着脱可能に且つ略水平に取り付けられること、布団支持具は洗濯物干し具を支持するアームと、このアームの両側に連結し、アームと所定の間隔をおいてアームに沿って水平に設けられた布団支持枠とで構成されること、前記係止具は支持部材から外した布団支持具を吊り下げて保持することを特徴とする物干し具。
【請求項２】
布団支持具が着脱する支持部材は、支柱の周方向に回転可能であることを特徴とする請求項１記載の物干し具。
【請求項３】
係止具は支持部材と一緒に回転することを特徴とする請求項２記載の物干し具。
【請求項４】
布団支持具は伸縮調節可能であることを特徴とする請求項１から３のいずれかに記載の物干し具。
【考案の詳細な説明】
【技術分野】
【０００１】
本考案は、洗濯物や布団を干すために使用する物干し具に関し、詳しくは二つ折りに掛けた布団の対向面（内側面）の間に間隔が生じて空気が流通できるようにした物干し具に関するものである。
【背景技術】
【０００２】
従来、洗濯物や布団を干すための物干し具として特開２００１−９１９９の物干し具が既に提案されている。
この物干し具は布団や洗濯物でも干すことができ、屋外で使用するのに適しているものであるが、布団の掛け外しを容易にするために、布団支持具を丸パイプとしている。
又、その他の従来の布団干し具も、布団支持具は細い竿のような部材で構成されている。
【０００３】
このような細い部材の布団支持具では、布団を掛けると二つ折りになった布団の対向面が合わさって通気性が損なわれ乾燥を阻害する問題点を有している。
【先行技術文献】
【特許文献】
【０００４】
【特許文献１】特開２００１−９１９９
【考案の概要】
【考案が解決しようとする課題】
【０００５】
上記点より本考案は、布団と洗濯物の両方を干すことが可能で、布団支持具に布団を掛けた場合に、二つ折りになった対向面の間に間隔が生じ通気性に優れ乾燥効率が良いと共に、布団のサイズにも対応可能で、且つ保管に便利な物干し具を提供しようとするものである。
【課題を解決するための手段】
【０００６】
上記課題を解決するため請求項１記載の本発明物干し具は、支柱の下端部に支柱の支持が可能な台板を設け、この台板上に支柱の外側に開いた複数本の支持脚を備え、支持脚は起倒可能に基部を軸支されて先端側に向けて下方傾斜し、支持脚が開いた時に支持脚の基部側が台板上に固定されて台板は浮き上がり、支柱側に起立した時に支柱に保持されること、支柱の上部には、複数の支持部材と複数の係止具が設けられ、放射状に略水平に突設した支持部材に、布団支持具が着脱可能に且つ略水平に取り付けられること、布団支持具は洗濯物干し具を支持するアームと、このアームの両側に連結し、アームと所定の間隔をおいてアームに沿って水平に設けられた布団支持枠とで構成されること、前記係止具は支持部材から外した布団支持具を吊り下げて保持することを特徴とするものである。
【０００７】
このような構成とすることにより、布団はアームの両側にアームと所定の間隔をおいてアームに沿って設けた布団支持枠に跨って掛けられるので、二つ折りになった対向面の間に間隔が生じ通気性が確保される。
【０００８】
そして、布団支持具はアームを備えているので、洗濯物はアームに洗濯物干し具を吊るして、この洗濯物干し具に干すことができ、布団と洗濯物の両方を干すことが可能である。
【０００９】
又、布団支持具は放射状に略水平に突設した支持部材に着脱可能であるため、必要な数だけ略水平に取り付けて使用でき便利であると共に、保管する時は、布団支持具は外されて支柱の係止具に保持されるのでコンパクトになり収納に便利である。
【００１０】
さらに、支柱の下部に台板が設けられていることにより、物干し具を設置する時や、保管する時に立てて置くことができる。
脚部は支柱の外側に開いた複数本の支持脚を備え、この支持脚は支柱側に折り畳まれ支柱に保持されることにより、保管する時は、支持脚が起立して折り畳まれてコンパクトになり収納に便利である。
【００１１】
脚部が支柱側から設置端側に向けて下方傾斜し、支持脚が開いた時に支持脚の基部側が台板上に固定され、台板は設置面から浮き上がることにより、脚部が支柱側から設置端側に向けて下方傾斜しているため、安定性が増大する。
又、支持脚が開いた時に支持脚の基部側が台板上に固定されるため、支持脚の安定性がより一層増大する。
【００１２】
次に、請求項２記載の本考案の物干し具は、請求項１記載の物干し具において、布団支持具が着脱する支持部材は、支柱の周方向に回転可能であることを特徴とするものである。
【００１３】
このような構成とすることにより、布団支持具が支柱の周方向に回転し、布団や洗濯物への風通しが良くなり、乾燥し易くなる。
【００１４】
次に、請求項３記載の本考案の物干し具は、請求項２記載の物干し具において、係止具は支持部材と一緒に回転することを特徴とするものである。
【００１５】
このような構成とすることにより、布団を支持部材に取り付けた布団支持具に掛けて布団支持具を回転させた時に、係止具に布団が引っ掛かり布団支持具の回転が阻止されることがない。
【００１６】
次に、請求項４記載の本考案の物干し具は、請求項１から３のいずれかに記載の物干し具において、布団支持具は伸縮調節可能であることを特徴とするものである。
【００１７】
このような構成とすることにより、子供用から大人用まで、或いはシングルサイズからダブルサイズまで等、布団のサイズに対応可能となる。
【考案の効果】
【００１８】
請求項１記載の本考案の物干し具によれば、布団はアームの両側にアームと所定の間隔をおいてアームに沿って設けた布団支持枠に跨って掛けられるので、二つ折りになった対向面の間に間隔が生じ通気性が確保され乾燥効率が良くなる効果を有する。
【００１９】
そして、布団支持具はアームを備えているので、洗濯物はアームに洗濯物干し具を吊るして、この洗濯物物干し具に干すことができ、布団と洗濯物の両方を干すことが可能であり、非常に便利なものとなる効果を有する。
【００２０】
又、布団支持具は放射状に略水平に突設した支持部材に着脱可能であるため、必要な数だけ略水平に取り付けて使用できると共に、保管する時は、布団支持具は外されて支柱の係止具に保持されるのでコンパクトになり収納に便利なものとなる効果を有する。
【００２１】
又、支柱の下部に台板が設けられているため、物干し具を設置する時や、保管する時に立てて置くことができるので便利なものとなる効果を有する。
【００２２】
更に、台板に基部を軸支されて支柱の外側に開いた複数本の起立可能な支持脚を有するため、安定して支柱を立設できると共に、支持脚を支柱側に起立して折り畳まれ支柱に保持されるため、コンパクトになり収納に便利なものとなる効果を有する。
【００２３】
そして、脚部が支柱側から設置端側に向けて下方傾斜しているため、安定性が増大すると共に、支持脚が開いた時に支持脚の基部側が台板上に固定されるため、支持脚の安定性がより一層増大する効果を有する。
【００２４】
請求項２記載の本考案の物干し具によれば、布団支持具が着脱する支持部材は、支柱の周方向に回転可能であるため、布団支持具も支柱の周方向に回転可能となり、布団や洗濯物への風通しが良くなり、乾燥し易くなるという効果を有する。
【００２５】
請求項３記載の本考案の物干し具によれば、係止具は支持部材と一緒に回転するため、支持部材に取り付けた布団支持具に掛けた布団が回転しても、係止具に布団が引っ掛って回転が阻止されることがないという効果を有する。
【００２６】
請求項４記載の本考案の物干し具によれば、布団支持具は伸縮調節可能であるため、子供用から大人用まで、或いはシングルサイズからダブルサイズまで等、布団のサイズに対応可能となる効果を有する。
【図面の簡単な説明】
【００２７】
【図１】本考案の物干し具の使用時の一部省略した斜視図である。
【図２】本考案の物干し具の不使用時の正面図である。
【図３】本考案の物干し具の部分拡大正面図である。
【図４】本考案の物干し具の部分拡大正面図である。
【図５】布団支持具の底面図である。
【図６】布団支持具の断面図である。
【図７】本考案の物干し具の部分断面図である。
【図８】本考案の物干し具の脚部の部分拡大斜視図である。
【考案を実施するための形態】
【００２８】
以下、本考案の好ましい実施形態について、添付図面を参照して説明する。
本発明物干し具は布団と洗濯物の両方を干すことができるものであり、図１は本発明物干し具の一実施の形態を示す使用時の一部省略した斜視図、図２は同上の不使用時の正面図である。
【００２９】
図中１は支柱であり、支柱１の上部に回転可能にキャップ２が被装され、このキャップ２の外周にキヤップ２と一体に上下に鍔部２ａ、２ａが形成され、この鍔部２ａ，２ａ間に角パイプから成る支持部材３が略水平に放射状に基部が固着され、鍔部２ａ，２ａより突出している（図３及び図４）。
この支持部材３に布団支持具４が着脱可能に取り付けられる。
【００３０】
布団支持具４は基部側布団支持具４ａと、この基部側布団支持具４ａと伸縮調節自在に連結する先方部側布団支持具４ｂから成っている。
基部側布団支持具４ａは支持部材３の外周に一端が着脱可能に嵌合する角パイプから成る基部側アーム５ａと、この基部側アーム５ａの両側に基部側アーム５ａと所定の間隔をおいて、基部側アーム５ａに沿って前後の管状の連結部材７ａ、７ａにより基部側アーム５ａに一体に固着されている基部側布団支持枠６ａ、６ａから構成され、基部側布団支持枠６ａ、６ａは丸パイプから成っている。
【００３１】
先方部側布団支持具４ｂは基部側アーム５ａの内周に一端が摺動自在に嵌合する角パイプから成る先方部側アーム５ｂと、この先方部側アーム５ｂの両側に先方部側アーム５ｂと所定の間隔をおいて先方部側アーム５ｂに沿って設けられ、基部側布団支持枠６ａの内周に一端が摺動自在に嵌合する丸パイプから成る先方部側布団支持枠６ｂ、６ｂから構成され、この先方部側布団支持枠６ｂ、６ｂは先端部に設けた管状の連結部材７ｂにより先方部側アーム５ｂに一体に固着されている（図５）。
【００３２】
そして、基部側アーム５ａの外側底面の両端部付近に係止ピン８が設けられている。
この係止ピン８は基部側アーム５ａの外側底面に固着したケース９内に収納されたスプリング１０により係止ピン８の先端が基部側アーム５ａ内に突入するよう付勢されている（図７）。
一方、係止ピン８の挿通するピン孔１１が先方部側アーム５ｂの底面に所定の間隔で穿設され（図５）、先方部側アーム５ｂが基部側アーム５ａに摺動自在に固定される様になっている。
【００３３】
又、先方部側アーム５ｂの連結側端部の底面に、後方に下方傾斜した凹溝１２が形成されている（図７）。
この凹溝１２は先方側アーム５ｂを基部側アーム５ａに嵌め込み摺動させた時に、係止ピン８の先端が凹溝１２に係合することにより凹溝１２の傾斜面に続く底面により押し退けられ、先方部側アーム５ｂが摺動するようになっている。
そして、最初のピン孔１１の位置になると係止ピン８は付勢力でピン孔１１に突入し係止する。係止を解除する時は、係止ピン８を指で摘んで引けば、先方側アーム５ｂは摺動可能となる。
これにより、先方側布団支持具４ｂは基部側布団支持具４ａに伸縮調節自在に連結する。
【００３４】
先方部側アーム５ｂの両側面に所定の間隔をおいて対向位置に、ハンガー等の洗濯物干し具１３を吊り下げ可能な吊り下げ孔１４が穿設されている（図６）。
勿論、ハンガー等は直接先方部側アーム５ｂに引っ掛けて使用することもできる。
【００３５】
布団支持具４の支持部材３への取り付けは、基部側アーム５ａの支持部材３への連結側の係止ピン８の挿通するピン孔１５が支持部材３の底面に穿設されると共に、支持部材３の連結側端部の底面に後方に下方傾斜した前同様の凹溝１６が形成されている（図７）。
これにより、基部側アーム５ａを支持部材３に嵌め込み摺動させると、係止ピン８の先端が凹溝１６に係合することにより凹溝１６の傾斜面に続く底面により押し退けられ、基部側アーム５ａが摺動しピン孔１５に突入する（図７）。
これにより、布団支持具４は支持部材３に固定される。
又、布団支持具４を取り外す時は、係止ピン８を指で摘んで引けば、布団支持具４を引き抜くことが可能となる。
【００３６】
取り外した布団支持具４は支柱１のキャップ２の周方向に所定の間隔で複数個設けた係止具１７に保持する。係止具１７は上部をキャップ２の外周に固着され、垂下した下方を外側上方に向けて屈曲させた一本の線材で形成されている。
係止は布団支持具４の先方側布団支持具４ｂの連結部材７ｂの中央部から先方側アーム７ｂを貫通する取り付け孔１８が設けられ、この取り付け孔１８を係止具１７の先端に挿し込み吊り下げる。
布団支持具４は縮小させた状態で吊り下げ保持される（図２及び図３）。
係止具１７はキャップ２と一緒に回転する。キャップ２はネジ１９により支柱１に固定して回転しないようにできる。
【００３７】
支柱１の下端部に円形の台板２０の中央部が固着されている。
この台板２０は中央部より外周に向けて緩やかに下方傾斜し台板２０上に脚部２１が設けられている。
脚部２１は台板２０上に固着した支持部２２と、この支持部２２に取り付けられた３本の支持脚２３から構成されている（図１及び図８）。
【００３８】
支持部２２は断面が略コ字形の鋼材から成り、開口部を下向きにして台板２０の中央部から外周端に亘って３本所定の間隔で放射状に固着されている。
支持部２２も台板２０に沿って台板２０の外周に向けて緩やかに傾斜すると共に、支持部２２の両側面の先方にピン孔２４が対向して穿設されている（図２及び図８）。
【００３９】
支持脚２３は断面が略コ字形の鋼材から成り、支持脚２３は支柱１の外側に開いた状態で開口部を下向きにして基部側が支持部２２の外側に上方より嵌合し、基部の上面が切除されて基部の両側面が支持部２２に回動可能に軸支２５されて起立する。
そして、支持脚２３の両側面に支持部２２のピン孔２４に対応する位置にピン孔２６が穿設され（図８）、両ピン孔２４，２６にピン２７が挿通し支持脚２３は支持部２２に固定される。支持脚２３が開いた状態では支持脚２３は支柱１側から設置端側に向けて下方傾斜し、台板２０は設置面から浮き上がる。
又、支持脚２３の先端部の下面に設置面に設置する設置部２８が設けられ（図１及び図２）安定した設置となっている。
【００４０】
又、支持脚２３の基部側の上面に長手方向に溝孔２９が形成されている（図８）。
この溝孔２９は支持脚２３が倒れて開いた状態からピン２７を外して支柱１側に回動し起立して折り畳まれた時に、支柱１の下部外周に固着した突片３０に嵌合するもので、突片３０にピン孔３１が穿設されている。
このピン孔３１は支持脚２３が起立して折り畳まれた時に、支持脚２３のピン孔２６と合致する位置に穿設されるように突片３０は固着され、この突片３０に嵌合する位置に溝孔２９が形成される。
そして、起立して折り畳まれた支持脚２３は両ピン孔２６，３１に前記外したピン２７を挿通することにより、支柱１に固定され保持される。
【００４１】
次に、このような構成を有する物干し具の使用方法を説明する。
先ず、図２の不使用時の状態から使用する時は、支持脚２３を支柱１に固定しているピン２７を抜いて支持脚２３を支柱１の外側に回動して支持部２２に嵌合し、支持脚２３のピン孔２６と支持部２２のピン孔２４を合致し、両ピン孔２６，２４にピン２７を挿通して順次各支持脚２３を支持部２２に固定し支持脚２３を倒して開いて設置場所に設置する（図１）。
【００４２】
次に、係止具１７に吊り下げられている布団支持具４を必要な本数だけ外して、布団支持具４の基部側アーム５ａの端部を所望の支持部材３の端部に嵌合し押し込めば、係止ピン８が支持部材３のピン孔１５に突入し布団支持具４は支持部材３に固定される（図４及び図７）。
このようにして、必要な本数の布団支持具４を所望の支持部材３に固定した後、布団支持具４の先方部側布団支持具４ｂを摺動して伸縮調節する。
【００４３】
そして、図１に示すように、布団支持具４の両側のアームに跨って布団３２を掛ける。
又、先方部側アーム５ｂの吊り下げ孔１４にハンガー等の洗濯物干し具１３を吊り下げ支持し、これに洗濯物を干す。
【００４４】
次に、物干し具を折り畳む時は、布団支持具４の支持部材３に固定されている側の係止ピン８を指で摘んで引き、布団支持具４の基部側アーム５ａを支持部材３から引き抜き布団支持具４を取り外す。
そして、支持脚２３を支持部２２に固定しているピン２７を外して、支持脚２３を支柱１側に回動して起立させて支持脚２３の溝孔２９を突片３０に嵌合し、取り外したピン２７を両ピン孔２６，３１に挿通し、支持脚２３を支柱１に固定する。この時、物干し具は支柱１の下部の台板２０により立設する。
【００４５】
又、取り外した布団支持具４は縮小して先方部側布団支持具４ｂの取り付け孔１８を、支柱１の係止具１７の先端に挿し込み吊り下げる。
【００４６】
以上、本考案を実施形態に基づき具体的に説明したが、本発明は上記実施形態に何ら限定されるものではなく、例えば、洗濯物干し具１３を吊り下げる取り付け孔１４は、先方部側アーム５ｂに限らず、基部側アーム５ａにも設けることもできる等、本発明の趣旨を逸脱しない範囲内で種々の改良変形が可能である。
【符号の説明】
【００４７】
１    支柱
３    支持部材
４    布団支持具
４ａ  基部側布団支持具
４ｂ  先方部側布団支持具
５ａ  基部側アーム
５ｂ  先方部側アーム
６ａ  基部側布団支持枠
６ｂ  先方部側布団支持枠
１３  洗濯物干し具
１７  係止具
２０  台板
２１  脚部
２３  支持
【図１】
0003153436.tif 000003
【図２】
0003153436.tif 000004
【図３】
0003153436.tif 000005
【図４】
0003153436.tif 000006
【図５】
0003153436.tif 000007
【図６】
0003153436.tif 000008
【図７】
0003153436.tif 000009
【図８】
0003153436.tif 000010